(57)【要約】【課題】  本発明は、１８ＨＳロールスタンドの中間ロールセットのためのクラスターアーム装置に関し、その際、操作側のチョックと作業側のチョックとの間に、前記中間ロールの側方に、旋回可能なクラスターアームが設けられており、これらクラスターアーム内において、側方の支持ローラが、ワークロールの支持のために、ロールスタンド内において一体にまとめられている。【解決手段】  その際、チョック１とクラスターアーム２との間に、このクラスターアーム２と強固に結合された旋回ピン３が設けられており、この旋回ピンの軸線を中心に、このクラスターアーム２が旋回可能であり、クラスターアーム２のための固定機構、並びに、復帰ばね７を有する当接部片６が、コンパクトなユニットとして、クラスターアーム２とチョック１との間の領域内において、旋回ピン３に対して作用状態で設けられている。
2012532024.tif 000002
【特許請求の範囲】
【請求項１】
１８ＨＳロールスタンドの中間ロールセットのためのクラスターアーム装置であって、
その際、操作側のチョックと作業側のチョックとの間に、前記中間ロールの側方に、旋回可能なクラスターアームが設けられており、これらクラスターアーム内において、
側方の支持ローラが、ワークロールの支持のために、ロールスタンド内において一体にまとめられている様式の上記クラスターアーム装置において、
チョック（１）とクラスターアーム（２）との間に、このクラスターアーム（２）と強固に結合された旋回ピン（３）が設けられており、この旋回ピンの軸線を中心に、このクラスターアーム（２）が旋回可能であること、
クラスターアーム（２）のための固定機構、並びに、復帰ばね（７）を有する当接部片（６）が、コンパクトなユニットとして、クラスターアーム（２）とチョック（１）との間の領域内において、旋回ピン（３）に対して作用状態で設けられていることを特徴とするクラスターアーム装置。
【請求項２】
クラスターアーム（２）と強固に結合された旋回ピン（３）が、固定機構として使用されるロック軸（４）と協働すること、
このロック軸が、
このチョック（１）に固定され旋回可能なロック軸（４）が旋回される場合に、
このクラスターアーム（２）がこのチョック（１）との関連において軸線方向に固定されており、しかしながら、それにも拘らず旋回可能な状態に留まるように形成されていることを特徴とする請求項１に記載のクラスターアーム装置。
【請求項３】
旋回可能なロック軸（４）は、上記係合された状態において、固定ねじ（５）でもって固定可能であることを特徴とする請求項２に記載のクラスターアーム装置。
【請求項４】
固定ねじ（５）の弛緩の後、旋回可能なロック軸（４）は旋出係脱可能であり、
その際、クラスターアーム（２）が解放され、従って、チョック（１）が軸線方向に引出され得ることを特徴とする請求項１から３のいずれか一つに記載のクラスターアーム装置。
【請求項５】
旋回ピン（３）の外側の冠状部において、当接部片（６）が固定されており、この当接部片がクラスターアーム（２）と共に旋回し、その際、外方へのこのクラスターアーム（２）の旋回運動がロック軸（４）によって制限され、このロック軸に対して、この当接部片（６）がこの場合に支持されていることを特徴とする請求項１から４のいずれか一つに記載のクラスターアーム装置。
【請求項６】
内方へのクラスターアーム（２）の旋回運動は、復帰ばね（７）によって収容可能であり、その際、外方から如何なる力もこのクラスターアーム（２）に対して作用しない場合、この復帰ばね（７）は、当接部片（６）がロック軸（４）に当接するまで、クラスターアーム（２）を戻し押圧することを特徴とする請求項１から５のいずれか一つに記載のクラスターアーム装置。
【発明の詳細な説明】
【技術分野】
【０００１】
本発明は、１８ＨＳロールスタンドの中間ロールセットのためのクラスターアーム装置
に関し、
その際、操作側のチョックと作業側のチョックとの間に、前記中間ロールの側方に、旋回可能なクラスターアームが設けられており、これらクラスターアーム内において、
側方の支持ローラが、ワークロールの支持のために、ロールスタンド内において一体にまとめられている。
【背景技術】
【０００２】
１８ＨＳロールスタンドのための中間ロールセットのカセット式構造様式の場合、
操作側のチョックと作業側のチョックとの間に、前記中間ロールの側方（入り側および出側）に、旋回可能なクラスターアームが設けられており、これらクラスターアーム内において、側方の支持ローラが、ほっそりとしたワークロールの支持のために、ロールスタンド内において一体にまとめられている。これらクラスターアーム内において一体にまとめられた支持ローラの目的は、ワークロールの撓みを防止すること、および、中間ロールに対する、ワークロールの水平方向の位置移動（ＨＳ）を、この後ろに設けられた、支持ブリッジ位置調節を用いて実現することである。
【０００３】
ロール交換の際、
引き戻された状態における支持ブリッジ位置調節の際に、これらクラスターアームが「自由である」場合、これらクラスターアームは、
所定の位置内へと移動され且つロールスタンドに対して中央に位置しなければならず、且つ従ってこれらワークロールがロールスタンドの中央に位置決めされねばならない。
【０００４】
公知の構造の場合、
強固にクラスターアームと結合されている旋回軸は、完全にチョックを通ってこれらチョックの外側に至るまで案内され、且つ保持ブロックを用いて固く保持されており、従って、この旋回軸が、チョック内において回転可能である。所定の「中央位置」への、これらクラスターアームの復帰は、ばね積層体を介して、チョックを通って突出するクラスターアームの旋回軸が、即ちクラスターアームが所望された位置内へと押圧される、というやり方で実現される。この配設は、クラスターアームを有する中間ロールセットの組み立ての際、およびメンテナンスの際に、高い手間暇を必要とする。何故ならば、それぞれの取り外しの際に保持ブロックおよびばね積層体の除去が、および、これら保持ブロックおよびばね積層体の再組み付け、並びに、これらばね積層体の位置調節が、クラスターアームの中央の位置の調整のためにロール修理工場内において必要であるからである。
【０００５】
付加的に、クラスターアームの取り外しのために、長い旋回軸が自由になるまで、両方のチョックは、完全に互いに離れるように移動され得る。
【０００６】
このような様式の装置に関して、記載すべき先行技術文献情報はない。
【発明の概要】
【発明が解決しようとする課題】
【０００７】
従って、本発明の課題は、組み付け作業、およびメンテナンス作業を著しく容易にする、クラスターアーム装置を提供することである。
【課題を解決するための手段】
【０００８】
この課題は、本発明に従い、１８ＨＳロールスタンドの中間ロールセットのためのクラスターアーム装置であって、
その際、操作側のチョックと作業側のチョックとの間に、前記中間ロールの側方に、旋回可能なクラスターアームが設けられており、これらクラスターアーム内において、
側方の支持ロールが、ワークロールの支持のために、ロールスタンド内において一体にまとめられている様式の上記クラスターアーム装置によって解決され、
このクラスターアーム装置が、
チョックとクラスターアームとの間に、このクラスターアームと強固に結合された旋回ピンが設けられており、この旋回ピンの軸線を中心に、このクラスターアームが旋回可能であること、
クラスターアームのための固定機構、並びに、復帰ばねを有する当接部片が、コンパクトなユニットとして、クラスターアームとチョックとの間の領域内において、旋回ピンに対して作用状態で設けられていることによって特徴付けられている。
【発明の効果】
【０００９】
詳細には、その際、クラスターアームと強固に結合された旋回ピンが、固定機構として使用されるロック軸と協働すること、このロック軸が、
このチョックに固定され旋回可能なロック軸が旋入係合される場合に、このクラスターアームがこのチョックとの関連において軸線方向に固定されており、しかしながら、それにも拘らず旋回可能な状態に留まるように形成されていることが行われる。
【００１０】
旋回可能なロック軸は、係合された状態において、固定ねじでもって固定可能である。
【００１１】
固定ねじの弛緩の後、旋回可能なロック軸は旋出係脱可能であり、その際、クラスターアームが解放され、従って、チョックが軸線方向に引出され得る。
【００１２】
更に、旋回ピンの外側の冠状部において、当接部片が固定されており、この当接部片がクラスターアームと共に旋回し、その際、外方へのこのクラスターアームの旋回運動がロック軸によって制限され、このロック軸に対して、この当接部片がこの場合に支持されていることが行われる。
【００１３】
更に別の実施形態に従い、内方へのクラスターアームの旋回運動は、復帰ばねによって収容可能であり、その際、外方から如何なる力もこのクラスターアームに対して作用しない場合、この復帰ばねは、当接部片がロック軸に当接するまで、クラスターアームを戻し押圧する。
【００１４】
この新しいコンセプトにおいて、クラスターアームの固定機構、並びに、復帰ばねを有する当接部片が、コンパクトなユニットとして、クラスターアームとチョックとの間の領域内において設けられており、且つ、しかも、それぞれに、両方の端部において設けられている。
【００１５】
その際、クラスターアームの長い旋回軸の代わりに、２つの旋回ピンが、クラスターアームに強固に装着されている。このことは、組み付け作業、およびメンテナンス作業を容易にする。何故ならば、クラスターアームの解体のために、チョックが、単に短い行程でもって互いに離れるように移動されねばならないだけであるからである。
【００１６】
クラスターアームと強固に結合された旋回ピンは、このチョックに固定され旋回可能なロック軸が旋入係合される場合に、このクラスターアームがこのチョックと軸線方向に固定されており、しかしながら、それにも拘らず旋回可能な状態に留まるように構成されている。
【００１７】
次に、本発明を、図に関連して説明する。
【図面の簡単な説明】
【００１８】
【図１】チョックとの、クラスターアームの固定状態の図である。
【図２】復帰ばねでもっての固定および当接の図である。
【発明を実施するための形態】
【００１９】
チョック１とクラスターアーム２との間に、旋回ピン３が設けられており、この旋回ピンの軸線を中心に、このクラスターアーム２が旋回可能である。
【００２０】
このクラスターアーム２と強固に結合された旋回ピン３は、このチョック１に固定され旋回可能なロック軸４が旋入係合される場合に、このクラスターアーム２がこのチョック１と軸線方向に固定されており、しかしながら、それにも拘らず旋回可能な状態に留まるように構成されている。
【００２１】
この旋回可能なロック軸４は、係合された状態において、固定ねじ５でもって固定されている。
【００２２】
固定ねじ５の弛緩の後、旋回可能なロック軸４は旋出係脱され、且つ、クラスターアーム２を解放し、従って、チョック１が軸線方向に引出され得る。
【００２３】
旋回ピン３の外側の冠状部において、当接部片６が固定されており、この当接部片は、クラスターアーム２と共に旋回する。外方へのこのクラスターアーム２の旋回運動はロック軸４によって制限され、このロック軸に対して、この当接部片６がこの場合に支持されている。この位置は、このクラスターアーム２がロール交換の際に占めるべき位置である。
【００２４】
内方へのクラスターアーム２の旋回運動は、復帰ばね７によって収容される。外方から如何なる力もこのクラスターアーム２に対して作用しない場合、この復帰ばね７は、当接部片６がロック軸４に当接するまで、クラスターアーム２を戻し押圧する。
【符号の説明】
【００２５】
１    チョック
２    クラスターアーム
３    旋回ピン
４    ロック軸
５    固定ねじ
６    当接部片
７    復帰ばね
【図１】
2012532024.tif 000003
【図２】
2012532024.tif 000004
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
１８ＨＳロールスタンドの中間ロールセットのためのクラスターアーム装置であって、
その際、操作側のチョックと作業側のチョックとの間に、前記中間ロールの側方に、旋回可能なクラスターアームが設けられており、これらクラスターアーム内において、
側方の支持ロールが、ワークロールの支持のために、ロールスタンド内において一体にまとめられている様式の上記クラスターアーム装置において、
このクラスターアーム装置に；
−チョック（１）とクラスターアーム（２）との間に配設された旋回ピン（３）が設けられており、
その際、この旋回ピン（３）がこのクラスターアーム（２）と強固に結合されており、且つ、このクラスターアーム（２）が、この旋回ピン（３）の軸線を中心に旋回可能であり、
および、
−このクラスターアーム（２）のための固定機構として、チョック（１）に固定された旋回可能なロック軸（４）が設けられており、
および、
−復帰ばね（７）を有する当接部片（６）が設けられており、
この当接部片が、コンパクトなユニットとして、クラスターアーム（２）とチョック（１）との間の領域内において、このクラスターアーム（２）の旋回運動の制限のために設けられており、その際、この当接部片（６）が、旋回ピン（３）の外側の冠状部において固定されており、且つ、この当接部片（６）が、外方へのこのクラスターアーム（２）の旋回運動の制限のために、ロック軸（４）に対して支持されている、
ことを特徴とするクラスターアーム装置。
【請求項２】
クラスターアーム（２）と強固に結合された旋回ピン（３）が、固定機構として使用されるロック軸（４）と協働すること、
このロック軸が、
このチョック（１）に固定され旋回可能なロック軸（４）が旋入係合される場合に、
このクラスターアーム（２）がこのチョック（１）との関連において軸線方向に固定されており、しかしながら、それにも拘らず旋回可能な状態に留まるように形成されていることを特徴とする請求項１に記載のクラスターアーム装置。
【請求項３】
旋回可能なロック軸（４）は、上記係合された状態において、固定ねじ（５）でもって固定可能であることを特徴とする請求項２に記載のクラスターアーム装置。
【請求項４】
固定ねじ（５）の弛緩の後、旋回可能なロック軸（４）は旋出係脱可能であり、
その際、クラスターアーム（２）が解放され、従って、チョック（１）が軸線方向に引出され得ることを特徴とする請求項１から３のいずれか一つに記載のクラスターアーム装置。
【請求項５】
内方へのクラスターアーム（２）の旋回運動は、復帰ばね（７）によって収容可能であり、その際、外方から如何なる力もこのクラスターアーム（２）に対して作用しない場合、この復帰ばね（７）は、当接部片（６）がロック軸（４）に当接するまで、クラスターアーム（２）を戻し押圧することを特徴とする請求項１から４のいずれか一つに記載のクラスターアーム装置。
【手続補正２】
【補正対象書類名】明細書
【補正対象項目名】全文
【補正方法】変更
【補正の内容】
【発明の詳細な説明】
【技術分野】
【０００１】
本発明は、１８ＨＳロールスタンドの中間ロールセットのためのクラスターアーム装置
に関し、
その際、操作側のチョックと作業側のチョックとの間に、前記中間ロールの側方に、旋回可能なクラスターアームが設けられており、これらクラスターアーム内において、
側方の支持ロールが、ワークロールの支持のために、ロールスタンド内において一体にまとめられている。
【背景技術】
【０００２】
１８ＨＳロールスタンドのための中間ロールセットのカセット式構造様式の場合、
操作側のチョックと作業側のチョックとの間に、前記中間ロールの側方（入り側および出側）に、旋回可能なクラスターアームが設けられており、これらクラスターアーム内において、側方の支持ロールが、ほっそりとしたワークロールの支持のために、ロールスタンド内において一体にまとめられている。これらクラスターアーム内において一体にまとめられた支持ロールの目的は、ワークロールの撓みを防止すること、および、中間ロールに対する、ワークロールの水平方向の位置移動（ＨＳ）を、この後ろに設けられた、支持ブリッジ位置調節を用いて実現することである。
【０００３】
ロール交換の際、
引き戻された状態における支持ブリッジ位置調節の際に、これらクラスターアームが「自由である」場合、これらクラスターアームは、
所定の位置内へと移動され且つロールスタンドに対して中央に位置しなければならず、且つ従ってこれらワークロールがロールスタンドの中央に位置決めされねばならない。
【０００４】
公知の構造の場合、
強固にクラスターアームと結合されている旋回軸は、完全にチョックを通ってこれらチョックの外側に至るまで案内され、且つ保持ブロックを用いて固く保持されており、従って、この旋回軸が、チョック内において回転可能である。所定の「中央位置」への、これらクラスターアームの復帰は、ばね積層体を介して、チョックを通って突出するクラスターアームの旋回軸が、即ちクラスターアームが所望された位置内へと押圧される、というやり方で実現される。この配設は、クラスターアームを有する中間ロールセットの組み立ての際、およびメンテナンスの際に、高い手間暇を必要とする。何故ならば、それぞれの取り外しの際に保持ブロックおよびばね積層体の除去が、および、これら保持ブロックおよびばね積層体の再組み付け、並びに、これらばね積層体の位置調節が、クラスターアームの中央の位置の調整のためにロール修理工場内において必要であるからである。
付加的に、クラスターアームの取り外しのために、長い旋回軸が自由になるまで、両方のチョックは、完全に互いに離れるように移動され得る。
【０００５】
特許文献１、２および３から、ロールスタンドが公知であり、これらロールスタンドの場合、支持ロールが、支持ビーム内において設けられており、これら支持ビームが、他方また継手アームを介して、回転式継手を用いて、回転可能にチョックと結合されている。
【先行技術文献】
【特許文献】
【０００６】
【特許文献１】英国特許出願公開第２  ０２３  ４７５号明細書
【特許文献２】ヨーロッパ特許出願公開第１  ７２１  ６８５号明細書
【特許文献３】独国特許出願公開第３３  ２５  ４９３号明細書
【発明の概要】
【発明が解決しようとする課題】
【０００７】
従って、本発明の課題は、組み付け作業、およびメンテナンス作業を著しく容易にする、クラスターアーム装置を提供することである。
【課題を解決するための手段】
【０００８】
この課題は、本発明に従い、１８ＨＳロールスタンドの中間ロールセットのためのクラスターアーム装置であって、
その際、操作側のチョックと作業側のチョックとの間に、前記中間ロールの側方に、旋回可能なクラスターアームが設けられており、これらクラスターアーム内において、
側方の支持ロールが、ワークロールの支持のために、ロールスタンド内において一体にまとめられている様式の上記クラスターアーム装置によって解決され、
このクラスターアーム装置が、
チョックとクラスターアームとの間に、このクラスターアームと強固に結合された旋回ピンが設けられており、この旋回ピンの軸線を中心に、このクラスターアームが旋回可能であること、
クラスターアームのための固定機構、並びに、復帰ばねを有する当接部片が、コンパクトなユニットとして、クラスターアームとチョックとの間の領域内において、旋回ピンに対して作用状態で設けられていることによって特徴付けられている。
【発明の効果】
【０００９】
詳細には、その際、クラスターアームと強固に結合された旋回ピンが、固定機構として使用されるロック軸と協働すること、このロック軸が、
このチョックに固定され旋回可能なロック軸が旋入係合される場合に、このクラスターアームがこのチョックとの関連において軸線方向に固定されており、しかしながら、それにも拘らず旋回可能な状態に留まるように形成されていることが行われる。
【００１０】
旋回可能なロック軸は、係合された状態において、固定ねじでもって固定可能である。
【００１１】
固定ねじの弛緩の後、旋回可能なロック軸は旋出係脱可能であり、その際、クラスターアームが解放され、従って、チョックが軸線方向に引出され得る。
【００１２】
更に、旋回ピンの外側の冠状部において、当接部片が固定されており、この当接部片がクラスターアームと共に旋回し、その際、外方へのこのクラスターアームの旋回運動がロック軸によって制限され、このロック軸に対して、この当接部片がこの場合に支持されていることが行われる。
【００１３】
更に別の実施形態に従い、内方へのクラスターアームの旋回運動は、復帰ばねによって収容可能であり、その際、外方から如何なる力もこのクラスターアームに対して作用しない場合、この復帰ばねは、当接部片がロック軸に当接するまで、クラスターアームを戻し押圧する。
【００１４】
この新しいコンセプトにおいて、クラスターアームの固定機構、並びに、復帰ばねを有する当接部片が、コンパクトなユニットとして、クラスターアームとチョックとの間の領域内において設けられており、且つ、しかも、それぞれに、両方の端部において設けられている。
【００１５】
その際、クラスターアームの長い旋回軸の代わりに、２つの旋回ピンが、クラスターアームに強固に装着されている。このことは、組み付け作業、およびメンテナンス作業を容易にする。何故ならば、クラスターアームの解体のために、チョックが、単に短い行程でもって互いに離れるように移動されねばならないだけであるからである。
【００１６】
クラスターアームと強固に結合された旋回ピンは、このチョックに固定され旋回可能なロック軸が旋入係合される場合に、このクラスターアームがこのチョックと軸線方向に固定されており、しかしながら、それにも拘らず旋回可能な状態に留まるように構成されている。
【００１７】
次に、本発明を、図に関連して説明する。
【図面の簡単な説明】
【００１８】
【図１】チョックとの、クラスターアームの固定状態の図である。
【図２】復帰ばねでもっての固定および当接の図である。
【発明を実施するための形態】
【００１９】
チョック１とクラスターアーム２との間に、旋回ピン３が設けられており、この旋回ピンの軸線を中心に、このクラスターアーム２が旋回可能である。
【００２０】
このクラスターアーム２と強固に結合された旋回ピン３は、このチョック１に固定され旋回可能なロック軸４が旋入係合される場合に、このクラスターアーム２がこのチョック１と軸線方向に固定されており、しかしながら、それにも拘らず旋回可能な状態に留まるように構成されている。
【００２１】
この旋回可能なロック軸４は、係合された状態において、固定ねじ５でもって固定されている。
【００２２】
固定ねじ５の弛緩の後、旋回可能なロック軸４は旋出係脱され、且つ、クラスターアーム２を解放し、従って、チョック１が軸線方向に引出され得る。
【００２３】
旋回ピン３の外側の冠状部において、当接部片６が固定されており、この当接部片は、クラスターアーム２と共に旋回する。外方へのこのクラスターアーム２の旋回運動はロック軸４によって制限され、このロック軸に対して、この当接部片６がこの場合に支持されている。この位置は、このクラスターアーム２がロール交換の際に占めるべき位置である。
【００２４】
内方へのクラスターアーム２の旋回運動は、復帰ばね７によって収容される。外方から如何なる力もこのクラスターアーム２に対して作用しない場合、この復帰ばね７は、当接部片６がロック軸４に当接するまで、クラスターアーム２を戻し押圧する。
【符号の説明】
【００２５】
１    チョック
２    クラスターアーム
３    旋回ピン
４    ロック軸
５    固定ねじ
６    当接部片
７    復帰ばね
【国際調査報告】
2012532024.tif 000005
2012532024.tif 000006
2012532024.tif 000007
2012532024.tif 000008